(57)【特許請求の範囲】
【請求項１】
対向する端縁及び該対向する端縁を連結する対向する横側縁を有し、互いに隣接して延び且つ対向する横側縁間で延びる複数のヒューズ挿入用容器（２８）が一体成形されたハウジング（２０）であって；
複数のヒューズ挿入用容器に対して横方向に延びる複数のスイッチング要素用容器（５２）が一体成形されている、前記ハウジング（２０）と、
前記複数のヒューズ挿入用容器のそれぞれから上方へ延びる第１のヒューズブレード接触端子（３２）及び第２のヒューズブレード接触端子（３４）と；
前記ハウジングの対向する端縁の一方に隣接して前記ハウジングから上方へ延びる電力入力端子（２２）であって；すべてのヒューズ挿入用容器の中の第１のヒューズブレード接触端子（３２）はハウジング内に埋設された入力部材としての導体バス構造体（１５０）を介して電力入力端子に機械的及び電気的に連結されている、前記電力入力端子（２２）と、
複数のスイッチング要素用容器（５２）のそれぞれ１つの中に実質的に包囲されたスイッチング要素（１２，１０４，１１４）であって；各スイッチング要素は第１の接触端子（１７２，２０２）と第２の接触端子（２１０，２２２）を有し、ヒューズ挿入用容器（２８）の少なくとも一つの中にある第２のヒューズブレード接触端子（３４）はハウジングに埋設された導体バス構造体（１７０，１９０）を介してスイッチング要素（１２）の少なくとも一つの第１の接触端子（１７２，２０２）に機械的及び電気的に連結されている、前記スイッチング要素と、
ハウジングの対向する端縁の他方に隣接し且つ電力入力端子に対向する、前記ハウジングから上方へ延びる複数の電力出力端子（６０）であって；各スイッチング要素（１２，１０４，１１４）の第２の接触端子（２１０，２２２）は該ハウジングに埋設されたバス構造体（２１２，２２０）を介して複数の電力出力端子（６０）のそれぞれ１つに機械的及び電気的に連結されている、前記電力出力端子（６０）と、
ハウジングから上方へ延び、複数のヒューズ挿入用容器（２８）のそれぞれ１つの中の第２のヒューズブレード接触端子（３４）に機械的及び電気的に連結された、複数のヒューズ出力端子（２６）であって；これらの複数のヒューズ出力端子（２６）はハウジングに埋設された導体バス構造体（１５２，１５４，１５８，１６０）を介して電力入力端子（２２）又は電力出力端子（６０）のいずれにも連結されていない、前記複数のヒューズ出力端子（２６）と、
を具備することを特徴とする配電ブロック。
【請求項２】
前記スイッチングング要素（１２，１０４，１１４）は、少なくとも一つのリレーを具備する、請求項１に記載の配電ブロック。
【請求項３】
前記ハウジングは、ヒューズ挿入用容器（２８）から分離されたヒューズ出力容器（２４）と一体成形されており、該ヒューズ出力容器（２４）は一対のヒューズ出力端子（２６）を含む、請求項１に記載の配電ブロック。
【請求項４】
前記少なくとも一つの電力入力端子（２２）及び複数の電力出力端子（６０）は、ネジ込みスタッドからなる、請求項１に記載の配電ブロック。
【請求項５】
ヒューズ挿入用容器（２８）のそれぞれは、雌型ヒューズに嵌合するような形状を有する、請求項１に記載の配電ブロック。
【請求項６】
複数のヒューズ挿入用容器の周りに延びるように形成された封止部材（３５４）、及び
該封止部材（３５４）に嵌合するように形成されたヒューズカバー（３０８）、
を更に具備する、請求項１に記載の配電ブロック。
【請求項７】
少なくとも一つの取り付け用突起（４０）及び回転防止用ピン（３６０）を更に具備し、該回転防止用ピンはハウジングの底部から延びるように構成されている、請求項１に記載の配電ブロック。
【請求項８】
前記ハウジングは、その中に一体的に形成された少なくとも一つのスイッチング要素用容器（５２）を具備し、前記配電ブロックは、スイッチング要素用容器（５２）内に設置された少なくとも一つのリレー制御信号端子（５４）を具備する、請求項１に記載の配電ブロック。
【請求項９】
前記少なくとも一つのスイッチング要素用容器（５２）はそれぞれの対応するコネクタに嵌合するよう構成されている、請求項８に記載の配電ブロック。
【請求項１０】
前記導体バス構造体は、前記ハウジング内に型成形されている、請求項１に記載の配電ブロック。
【請求項１１】
前記ハウジングは射出成形されたもので、前記少なくとも一つのスイッチング要素は該ハウジング内に型成形されたものである、請求項１０に記載の配電ブロック。
【請求項１２】
複数のヒューズ挿入用容器（２８）及び少なくとも一つのヒューズ出力容器（２４）が一体成形されているハウジング（２０）と；
前記ハウジングから上方へ延びる単一の電力入力端子（２２）と；
前記ハウジングから前記少なくとも一つのヒューズ出力容器（２４）内へ延びている第１及び第２のヒューズ出力端子（２６）と；
ヒューズ挿入用容器（２８）のそれぞれは、第１のヒューズブレード接触端子（３２）と第２のヒューズブレード接触端子（３４）とを具備し、第１及び第２のヒューズブレード接触端子のそれぞれはハウジングから上方へ突出し、すべての第１のヒューズブレード接触端子（３２）はハウジング内に埋設された導体バス構造体（１５０）を介して機械的及び電気的に電力入力端子（２２）に連結されており、選択された１つの第２のヒューズブレード接触端子（３４）はハウジング内に埋設された導体バス構造体（１５２，１５４，１５８，１６０）を介して機械的及び電気的に第１及び第２のヒューズ出力端子（２６）のそれぞれ１つに機械的及び電気的に連結されている、ことを特徴とする配電ブロック。
【請求項１３】
前記導体バス構造体は、前記ハウジング内に型成形されている、請求項１２に記載の配電ブロック。
【請求項１４】
前記第１及び第２のヒューズブレード接触端子（３２，３４）は前記ハウジングから前記少なくとも一つのヒューズ出力容器（２４）内へ突出する端子ブレードを具備し、ヒューズブレード接触端子の端子ブレードは第１及び第２のヒューズ出力端子（２６）の端子ブレードに対して略９０度傾斜している、請求項１２に記載の配電ブロック。
【請求項１５】
ヒューズ挿入用容器は個々に雌型ヒューズを受け入れるように構成されている、請求項１２に記載の配電ブロック。
【請求項１６】
複数の一体形成のヒューズ挿入用容器（２８）及び複数のヒューズ出力容器（２４）を規定する単一のハウジング（２０）と、
前記ハウジングから延びる単一の電力入力端子（２２）と、
ハウジングからヒューズ出力容器（２４）内へ延びるヒューズ出力端子（２６）と、
対のヒューズブレード接触端子（３２，３４）であって、それぞれがヒューズ挿入用容器（２８）内に設置されており、もって、対のヒューズブレード接触端子の一方（３２）は、ハウジングに埋設された導体バス構造体（１５０）を介して単一の電力入力端子（２２）に機械的及び電気的に連結されており、対のヒューズブレード接触端子の他方（３４）は、ヒューズ出力端子（２６）の一方に機械的及び電気的に連結されているが、導体バス構造体（１５０）及び電力入力端子（２２）には連結されていない、ヒューズブロック、及び、
複数の雌型ヒューズであって、それぞれが第１のヒューズブレード接触端子及び第２のヒューズブレード接触端子を具備し、複数の雌型ヒューズは、対のヒューズブレード接触端子（３２，３４）を受け入れる、ヒューズ挿入用容器（２８）に挿入可能である、複数の雌型ヒューズ、
を具備することを特徴とする配電システム。
【請求項１７】
前記導体バス構造体（１５０）は、前記ハウジング内に型成形されている、請求項１６に記載の配電システム。
【請求項１８】
電力出力端子（６０）と、
第１の接触端子（１７２，２０２）と、第２の接触端子（２１０，２２２）と、少なくとも一つのリレー制御信号端子（５４）を具備する少なくとも一つのリレーと、を具備し、
もってヒューズブレード接触端子（３４）の少なくとも一つは第１及び第２の接触端子（１７２，２０２，２１０，２２２）の一方に機械的及び電気的に連結されている、請求項１６に記載の配電システム。
【請求項１９】
前記ハウジングは、少なくとも一つのリレー（１２，１０４，１１４）の周りに射出成形により形成されており、もって、前記少なくとも一つのリレーをハウジング内に実質的に包囲している、請求項１８に記載の配電システム。
【請求項２０】
前記ハウジングは、それと一体的に成形された少なくとも一つのスイッチング要素用容器（５２）を更に具備し、この配電システムは、スイッチング要素用容器（５２）内に設置された少なくとも一つのリレー制御信号端子（５４）を具備する、請求項１８に記載の配電システム。
【請求項２１】
ヒューズ挿入用容器の周りに延びるように構成された封止部材（３５４）、及び
該封止部材に嵌合するように構成され、前記複数の挿入されたヒューズをカバーするように構成されたヒューズカバー（３０８）を、更に具備する、請求項１６に記載の配電システム。
【発明の詳細な説明】
【技術分野】
【０００１】
本発明は一般に、配電ブロックに関し、詳細にはヒューズ付き配電ブロックに関する。
【背景技術】
【０００２】
ヒューズは、電気回路を代償大きく損傷しないために過電流遮断デバイスとして広範に使用される。ヒューズ端子は、大体は、電力源と電気回路に配置される電気部品又は部品の組み合わせとの間の電気的接続を形成する。一つ以上の可溶性連結金具又は可融部、又は可溶体が、ヒューズ端子間に接続されて、ヒューズを通る電流が一定限界を超える場合、可融部は溶解し且つヒューズを通る一つ以上の回路を切断して電気部品を損傷しないようにする。
【０００３】
配電ブロックと端子ブロックは、電気システムの中心位置に複数の回路素子、例えば、ヒューズを集積するために使用されることが多い。ヒューズ盤を一緒に形成するスナップ式係合モジュールを組み込む一部の周知のヒューズブロックは、市販されている。しかしながら、これらのスナップ式係合モジュールは、多くのヒューズがブロックに保持されることになる場合は大き過ぎる。そのようなモジュールはまた、高価な、手間をかけた組立体も必要とする。
【０００４】
既存のヒューズブロックはまた、通常、ブロックの内部に電力入力用のそれぞれの配線回路も含む。そのようなものとして、同一電源を有する一つ以上の回路に電力を供給することが所望される場合、ジャンパがこのために取り付けられる。ジャンパの取り付けはしかしながら、高価で、手間がかかり、また時間を浪費する。さらに、追加された回路は、さらなる電流負荷を処理するためにより大きなゲージ配線の使用を必要とする。既存のヒューズブロックを備える、例えば自動車システムにおいて、さらなる負荷と補助的回路の調整は、従って困難である。
【０００５】
既存の設計に伴う別の問題は、保守整備処理の際に電源から回路を容易に遮断することができないことである。個々のヒューズは、負荷回路から電源を遮断するために取り外されねばならないのが一般的である。自動車システムなど一部の電気システムでは、ヒューズへのアクセスは限定的である場合が多く、またヒューズを取り外すことと再取り付けすることは、不便なことが多い。
【先行技術文献】
【特許文献】
【０００６】
【特許文献１】特開２００４−３２８８４１号公報
【特許文献２】特開平９−２３３６５１号公報
【特許文献３】特開２００４−４８８６２号公報
【特許文献４】特開平８−４７１４４号公報
【特許文献５】実願平３−６２１００号（実開平５−９１２１号）のＣＤ−ＲＯＭ
【特許文献６】特開平７−１０７６４３号公報
【特許文献７】特開平８−２９８７１２号公報
【特許文献８】特開平９−１６３５５６号公報
【特許文献９】特開平９−２７６６４８号公報
【特許文献１０】特開平１−２１２６４１号公報
【特許文献１１】特開平６−２３３４３４号公報
【特許文献１２】特開２００４−４８９６０号公報
【特許文献１３】特開平８−１９１５２６号公報
【発明の概要】
【発明が解決しようとする課題】
【０００７】
本発明は上述した従来のヒューズ付き配電ブロックにおける問題点を克服することのできる切換可能なヒューズ付き配電ブロックを提供しようとするものである。
【課題を解決するための手段】
【０００８】
一態様では、ハウジング、ハウジングから延びている入力端子、及びハウジングから延びている少なくとも一つの出力端子を具備する配電ブロックが提供される。配電ブロックはさらに、ハウジングに形成され且つヒューズの挿入のために構成される少なくとも一つのヒューズ挿入用開口を具備する。ヒューズ挿入用開口は各々、内部に且つ挿入されたヒューズと電気接触するために構成された、第一ヒューズ接触端子と第二ヒューズ接触端子を具備し、また第一ヒューズ接触端子は各々、入力端子へ連結される。配電ブロックはさらに、第一接点と第二接点を各々が具備する少なくとも一つのスイッチング素子を具備し、第一接点は各々、第二ヒューズ接触端子のそれぞれ一つに連結され、また第二接点は各々、出力端子のそれぞれ一つに連結される。少なくとも一つのスイッチング素子がハウジングの内部にほぼ封入される。
【０００９】
別の態様では、ハウジング、ハウジングから延びている入力端子、及びハウジングから延びている少なくとも一つのヒューズ出力端子を具備する配電ブロックが提供される。配電ブロックはさらに、ハウジングに形成され且つヒューズの挿入のために構成される少なくとも一つのヒューズ挿入用開口を具備する。ヒューズ挿入用開口は各々、内部に且つ挿入されたヒューズと電気接触するために構成された、第一ヒューズ接触端子と第二ヒューズ接触端子を具備する。第一ヒューズ接触端子は各々、入力端子へ連結され、また第二ヒューズ接触端子は各々、ヒューズ出力端子のそれぞれ一つに連結される。
【００１０】
別の態様では、ハウジング、ハウジングから延びている入力端子を構成する入力部材、及びハウジングから延びているヒューズ出力端子を各々が構成する複数のヒューズ部材を具備する配電システムが提供される。配電システムはまた、第一ヒューズ接点と第二ヒューズ接点を各々が構成する複数のヒューズも具備する。ハウジングは、ヒューズの挿入のために構成され、また入力部材は、各第一ヒューズ接点と電気接触するために構成される。ヒューズ部材は各々、第二ヒューズ接点の一つと電気接触するために構成される。
【図面の簡単な説明】
【００１１】
【図１】図１は、代表的なヒューズ付き配電ブロックの説明図である。
【図２】図２は、図１のヒューズ付き配電ブロックの概略図である。
【図３】図３は、図１のヒューズ付き配電ブロックの導電部材の説明図である。
【図４】図４は、ヒューズ付き配電ブロックの代わりの実施形態の説明図である。
【図５】図５は、その中に挿入されるリレーを図示するヒューズ付き配電ブロックの別の代わりの実施形態の説明図である。
【図６】図６は、出力部の多くの実施形態を図示している、多くのヒューズ付き配電ブロックの説明図である。
【発明を実施するための形態】
【００１２】
図１は、ヒューズ付き配電ブロック１０の説明図であり、配電ブロックは、例えばリレー１２を有するブロック１０を介して容易に切り替えできて、電気回路網を接続する又は遮断する。さらに本明細書に記載されるように、配電ブロック１０は、電力、例えばバッテリ電力を自動車の電気的中心の中に切り替えるためのコンパクトなデバイスと方法を、あるいは独立型電力切り替えユニットとして提供する。さらに後述される様々な実施形態では、配電ブロック１０は、ユーザに電動ユニットが電力を受容できる一つ以上のヒューズ付き電力出力部を提供する。
【００１３】
より詳細には、配電ブロック１０は、内部に一つ以上のヒューズ出力端子２６を各々が有する複数のコネクタ嵌合突起又は容器２４に入力端子２２が延びるハウジング２０と、その中にヒューズ端子３０を各々が有して、その上に形成される複数のヒューズ挿入用開口２８を含む。ハフジング２０は、成型プラスチック又は電気伝導性のない類似材料から形成される。ヒューズ挿入用開口２８とヒューズ端子３０は、雌型のヒューズ（図示せず）の挿入のために構成されて、ヒューズの接点（図示せず）は、ヒューズ端子３０に係合する。ヒューズ端子３０は、入力端子２２に電気的に接続される第一ヒューズ接触端子３２と、ヒューズ付き出力端子２６の一つ又はさらに後述されるようなリレー１２の一つに接続される第二ヒューズ接触端子３４を含む。ヒューズ開口型３６は、ヒューズ挿入用開口２８の周囲に容器縁を形成し、またヒューズカバー（図示せず）に係合するよう構成される。図示される実施形態では、第一ヒューズ接触端子３２と第二ヒューズ接触端子３４は、雌型のヒューズに受容されるブレード端子、又はスペード端子と呼ばれることが多い構造であるが、代わりの実施形態では、他のタイプの端子を他のタイプのヒューズを用いて使用できることが理解される。
【００１４】
取り付け部材４０がハウジング２０に形成され、また図示される実施形態では、取り付け部材４０は中空であり且つ取り付け部材４０に強さを提供する中空挿入体４２を含む。取り付け部材４０は、例えば自動車の防火壁、あるいはネジ、可動部分、及び/又は周知の締め付け具を使用する電気システムの他の場所へ配電ブロック１０を取り付けるために提供される。
【００１５】
図１に示されるように、配電ブロック１０は、それぞれのリレー１２をほぼ取り囲むリレーカバー５０を含む。リレーカバー５０は各々、そこから延びているリレー信号容器５２を含み、またリレー容器は各々、内部に一つ以上のリレー制御信号端子５４を有する。様々な実施形態において、リレー信号容器５２は、嵌合コネクタ（図示せず）に係合するよう構成され、嵌合コネクタは、リレー制御信号端子５４に係合し且つリレー１２の制御のために信号を提供するよう構成された接点を含む。切り替え可能な出力端子６０は、ハウジング２０から延び、またさらに後述されるようにそれぞれのリレー１２へ電気的に接続される。一部の実施形態では、入力端子２２と切り替え可能な出力端子６０は、リング状端子等を使用して外部回路へ接続を与えるネジ込みスタッドである。入力端子２２と切り替え可能な出力端子６０についての他の実施形態も検討される。
【００１６】
図２は、図１に関して説明された様々な部品の電気的接続を図示するヒューズ付き配電ブロック１０の概略図である。より詳細には、入力端子２２は、ヒューズ挿入用開口２８のそれぞれのヒューズ端子３０（両方とも図１に図示）に前述のように係合するヒューズ８０、８２、８４、８６、８８、及び９０の各々に電気的に接続される。説明のために、ヒューズ８０、８２、８４、８６、８８、及び９０は、第一接点と第二接点を有するように本明細書に記載される。ヒューズ８０、８２、８４、８６、８８、及び９０の第一接点は、第一ヒューズ接触端子３２（図１に図示）を介して入力端子２２へ共通に接続される。ヒューズ８０と８２の第二接点は、それぞれの第二ヒューズ接触端子３４を介してリレー１２へ接続される。より詳細には、ヒューズ８０の第二接点１００は、それぞれの第二ヒューズ接触端子３４を介して第一リレー１０４の第一接点１０２へ電気的に接続され、また第一リレー１０４の第二接点１０６は切り替え可能な出力端子６０の一つに電気的に接続される。ヒューズ８２の第二接点１１０は、それぞれの第二ヒューズ接触端子３４を介して第二リレー１１４の第一接点１１２へ電気的に接続され、また第二リレー１１４の第二接点１１６は、切り替え可能な出力端子６０の別の一つへ電気的に接続される。
【００１７】
ヒューズ８４、８６、８８、及び９０の第二接点１２０、１２２、１２４、及び１２６はそれぞれ、それぞれの第二ヒューズ接触端子３４を介してそれぞれのヒューズ付き出力端子２６へ電気的に接続される。リレー１２（即ち、第一リレー１０４と第二リレー１１４）の制御のためのリレー制御信号端子５４も図２に図示される。二つのリレーと六つのヒューズ構造が図２に示されるが、より多い又はより少ない数のリレーと、より多い又はより少ない数のヒューズを含む代わりの実施形態が検討される。
【００１８】
図３は、ハウジング２０（図１に示す）が取り除かれ且つ配電ブロック１０の導電部分を示しているヒューズ付き配電ブロック１０を図示する。詳細には、入力部材１５０は、入力端子２２と、入力部材１５０の一部を形成する電気的に共通の第一ヒューズ接触端子３２との間に延びる。第一外部ヒューズ出力導体１５２は、その両方が第一外部ヒューズ出力導体１５２の一部を形成する、第二ヒューズ接触端子３４の一つとヒューズ付き出力端子２６の一つとの間の入力部材１５０の一部の周囲に延びる。第二外部ヒューズ出力導体１５４も、第一外部ヒューズ出力導体１５２の反対側且つその両方が第二外部ヒューズ出力導体１５２の一部を形成する、第二ヒューズ接触端子３４の一つとヒューズ付き出力端子２６の一つとの間の入力部材１５０の一部の周囲に延びる。図３に図示されるように、第一外部ヒューズ出力導体１５２とそのそれぞれの第二ヒューズ接触端子３４及びヒューズ付き出力端子２６は、単一部材として形成され、第二外部ヒューズ出力導体１５４も同様である。
【００１９】
スロット１５５と開口１５６が、入力部材１５０に形成され、入力部材は、第一内部ヒューズ出力導体１５８と第二内部ヒューズ出力導体１６０がそれぞれの第二ヒューズ接触端子３４とヒューズ付き出力端子２６との間に延びるのを可能にしている。より詳細には、第一内部ヒューズ出力導体１５８と第二内部ヒューズ出力導体１６０については、それぞれのヒューズ付き出力端子２６は、開口１５６の内部に置かれ、また第一内部ヒューズ出力導体１５８と第二内部ヒューズ出力導体１６０の部分は、スロット１５５に沿って延びる。図示されるように、第一内部ヒューズ出力導体１５８は、第一内部ヒューズ出力導体１５８が単一部材として形成されるように、自身のそれぞれの第二ヒューズ接触端子３４とヒューズ付き出力端子２６を含む。同様に、第二内部ヒューズ出力導体１６０は、それが同様に単一部材として形成されるように、自身のそれぞれの第二ヒューズ接触端子３４とヒューズ付き出力端子２６を含む。
【００２０】
図３に図示され、また前述されるように、第二ヒューズ接触端子３４の二つは、リレー１０４と１１４にそれぞれ電気的に接続される。第一リレー接触導体１７０は、自身のそれぞれの第二ヒューズ接触端子３４を含み且つそれから延び、また第一リレー１０４の第一接点１７２と電気接触する。第一リレー接触導体１７０は、その中に形成され、電気接触すること無しに中空挿入体４２が通過することを可能にする開口１７６を有する第一平面１７４を含む。第一リレー接触導体１７０の第二平面１７８は、リレー１０４の一側面に沿ってほぼ直角に第一平面１７４から延びる。第三平面１８０は、リレー１０４の表面１８２の一部に沿ってほぼ直角に第二平面１７８から延びて、リレー１０４の第一接点１７２と接触する。同様に構成された第二リレー接触導体１９０は、第一平面１９２、中空挿入体４２用の開口１９４、第二平面１９６、及びリレー１１４の表面２００に係合し且つリレー１１４の第一接点２０２と接触する第三平面１９８を含む。
【００２１】
リレー１０４の第二接点２１０と接触するために、切り替え可能な出力端子６０を含む出力端子導体２１２が提供される。出力端子導体２１２は、リレー１０４の表面１８２の一部に沿って延びる接触嵌合部分２１４と、切り替え可能な出力端子６０が延びる出力端子部材２１６を含む。垂直方向導体２１８は、接触嵌合部分２１４と出力端子部材２１６との間に延び、且つそれらにほぼ垂直である。同様に構成された出力端子導体２２０は、リレー１１４の第二接点２２２と接触し、また接触嵌合部分２２４、出力端子部材２１６、及び垂直方向導体２２８を含む。コネクタ嵌合接点２３０は、それぞれのリレー制御接点２３２と接触し、またさらに前述のように、嵌合コネクタの内部の嵌合接点に係合するよう構成される。リレー制御信号端子５４は各々、各コネクタ嵌合接点２３０の一部を形成する。
【００２２】
ヒューズ付き配電ブロック１０（図１−３に図示）は、配電ブロックの一実施形態である。より多い又はより少ないリレーとより多い又はより少ないヒューズを含む他の実施形態が検討される。ヒューズのみを含む実施形態も検討される。
【００２３】
例えば、図４は、二つのヒューズ（図示せず）を含むがリレーは全く含まない配電ブロック３００の実施形態を図示する。配電ブロック３００は、入力端子３０４が延びるハウジング３０２を有する。配電ブロック３００は、入力端子３０４から二つのヒューズ付き出力端子３０６までヒューズ付き接続する。配電ブロック３００の構造は、入力部材（図４に図示せず）が、入力端子３０４から第一ヒューズ接点まで延び、また出力部材（図４に図示せず）が、第二ヒューズ接点（図４に図示せず）からヒューズ付き出力部３０６まで延びる、配電ブロック１０（図１−３に図示）と類似している。配電ブロック３００はさらに、図示された実施形態において、ヒューズ挿入用開口を囲んでいるヒューズ開口型（図示せず）に係合するヒューズカバー３０８を含む。取り付け部材３１２を貫通して挿入された取り付けボルトの頭部３１０も図示される。
【００２４】
図５は、その中に挿入されるヒューズ３５２を図示するヒューズ付き配電ブロック３５０の別の代わりの実施形態の説明図である。図５に図示され、また本明細書に図示され且つ記載される他の実施形態に適用できる、ヒューズ挿入用開口（例えば、図１に示されるヒューズ開口型３６）の縁の周囲とハウジング３５８の基部３５６にまで延びる封止部材３５４もある。封止部材３５４は、カバー例えばカバー３０８（図４に図示）に係合するよう構成されて、その中に挿入されるヒューズ３５２を保護する極めて健全な封止を提供する。そのような封止は、ヒューズ３５２への信号接続に対し保護を与える。さらに、ヒューズ付き配電ブロック３５０は、ハウジング３５８の底３６２から延び、デバイスを取り付けるとき、ただ一つの取り付け部材（例えば、図４に示される取り付け部材３１２）を有する実施形態については、回転防止機能を与える、成型ピン３６０を含む。
【００２５】
図６は、前述の配電ブロック１０、３００、及び３５０を含む配電ブロックの多くの実施形態を図示する。配電ブロック４００は、その切り替え可能な出力端子４０２が、多数の回路接点４０６を有する電気コネクタ４０４とインターフェースをとるよう構成されることを除いて、配電ブロック１０にほぼ類似している。配電ブロック４１０も、その中に形成され、周知の締め付け具を使用する回路接続のための開口４１４を有するリレー出力部用のほぼ平坦な切り替え可能出力端子４１２を、それが含むことを除いて、配電ブロック１０にほぼ類似している。平坦な切り替え可能出力端子４１２も、それぞれの端子４１２上で摺動するコネクタに係合するよう構成できる。その上に設置され、前述のようにヒューズ挿入用開口の縁の周囲に延びる封止部材に係合するよう構成されるヒューズカバー４１６を有する配電ブロック１０、４００、及び４１０が各々、図示されている。ヒューズカバー４１６（及び関連する封止部材）は、その大きさ以外はヒューズカバー３０８（図４にも図示）に類似して構成される。詳細に言うと、ヒューズカバー４１６は、ヒューズ開口型３６（図１に図示）に係合する大きさである。
【００２６】
配電ブロック３５０は、ヒューズ付き出力部４２２の一つと直列に単一リレー４２４を有する、二つのヒューズ付き出力部４２２を組み込む。理解されるように、本明細書に記載される配電ブロックの実施形態は全て、前述の導電部材、例えば入力部材、ヒューズ出力導体、リレー接触導体、及び図３に示される出力端子導体に類似の導電部材を組み込む。
【００２７】
本明細書に記載される配電ブロックは、電力の切り替えのための低価格且つコンパクトな解決方法を提供する。さらに、配電ブロックは、電気システムの中に別々に配線される個別のリレーとヒューズブロックへの依存を低減させる。さらに、配電ブロックは、それがプリント回路基板に取り付け可能なリレーとプラグ接続ヒューズを組み込むと、製造することが簡単である。例えば、入力部材１５０、外部ヒューズ部材１５２と１５４、内部ヒューズ部材１５８と１６０、リレー接触部材１７０と１９０、及び出力端子接触部材２１２と２２０（図３に全て図示）により提供されるバス回路は、簡単な圧印加工により達成されて、様々な部材を形成し、容易な製造を提供している。
【００２８】
上記に加えて、本明細書に記載される配電ブロックはまた、厳しい環境に耐える配電盤も提供する。本明細書に記載される必要な電気接続が導電部材を使用して行われた後に、組立体全体は、防水ハウジングの中に挿入される。より詳細に言うと、また一実施形態において、電気デバイスが挿入されると、ハウジング（即ち、ハウジング２０と３０２）は、その中の電気デバイス（ヒューズ、リレー）に、電気デバイスの周囲に成型された防水ハウジングを提供し、それによって電気デバイスを保護している。
【００２９】
本発明は、様々な具体的実施形態により説明されてきたが、当業者は、本発明を、請求項の精神と要旨の範囲内で改良できることを認識するであろう。
【図１】
0005702314.tif 000002
【図２】
0005702314.tif 000003
【図３】
0005702314.tif 000004
【図４】
0005702314.tif 000005
【図５】
0005702314.tif 000006
【図６】
0005702314.tif 000007